(57)【要約】【課題】  ウィルスの拡散予防と感染予防に有効であって、運動時等呼吸が深い場合にもマスク本体の変形を食い止めることができるマスクを提供することを課題とする。【解決手段】  本体部の左右方向中央に於いて上下に延びて備わる縦方向芯材１２と、本体部の上下方向中央よりも上方に於いて左右に延びて備わる横方向芯材１１とを備えてなる。また、本体部の上辺の左右方向中央に於いて左右に延びて備わる上辺芯材１３を備える。また、横方向芯材１１は、着用時に着用者の鼻の先端より上方に位置するように備える。【選択図】        図２
0003231135.tif 000002
【実用新案登録請求の範囲】
【請求項１】
着用者の鼻孔と口を覆う本体部と前記本体部を前記着用者の頭部に装着するための装着部とを備えたマスクであって、
前記本体部の左右方向中央に於いて上下に延びて備わる縦方向芯材と、
前記本体部の上下方向中央よりも上方に於いて左右に延びて備わる横方向芯材とを備えてなるマスク。
【請求項２】
前記本体部の上辺の左右方向中央に於いて左右に延びて備わる上辺芯材を備えることを特徴とする請求項１に記載のマスク。
【請求項３】
前記本体部が柔軟な布材で成ることを特徴とする請求項１又は請求項２に記載のマスク。
【請求項４】
前記横方向芯材が、着用時に着用者の鼻の先端より数ｍｍ上方に位置するように備わることを特徴とする請求項１から請求項３のいずれかに記載のマスク。
【請求項５】
前記横方向芯材が、着用時に着用者の鼻の先端より前方に離れて位置するように備わることを特徴とする請求項1から請求項３のいずれかに記載のマスク。
【考案の詳細な説明】
【技術分野】
【０００１】
本考案は、着用者の頭部に装着され鼻孔と口を覆うマスクに関する。
【背景技術】
【０００２】
ウィルスの拡散予防や感染予防のために、マスクの着用が効果的である。
【０００３】
特許文献１には、図４に示す通り、鼻孔と口を覆うマスク本体の左右方向中央に上下方向に延びる芯材３１を備えたマスク３０が記載されている。マスク３０にあっては、上下方向に延びる芯材３１によってマスク本体の自由変形が抑制される。その結果口元の動きがマスク本体越しに浮かび上がるのを防ぐことができる。
【０００４】
しかし特許文献１のマスクにあっては、例えば運動時等、呼吸が早くかつ深い場合に、芯材３１の左右のマスク本体が吸い寄せられて変形することを充分に防止できない。マスク本体が吸い寄せられ口まで届いて呼吸がしづらくなったり、不快感があったりした。
【０００５】
特許文献２には、図５に示す通り、鼻孔と口を覆うマスク本体に左右方向に延びる芯材３３を備えたマスク３２が記載されている。吸気でマスクの布地が吸い寄せられるのを防ぐために、芯材３３は着用時に鼻孔と口の中間を通る位置に設けてある。芯材がマスク本体の自由変形を抑制する結果鼻孔下の空間が狭められるのを防ぎ、着用者が運動や肉体労働により呼吸が荒くなった際にも苦しくない。
【０００６】
しかし、特許文献２のマスクにあっては、本体３０が上下方向にずり動くことを防ぐ手段が設けられていないため、本体３０は上下方向にずり動いてしまう。横方向に延びる芯材３３は着用時に鼻孔と口の中間を通る位置、すなわち鼻の先端よりも下側に設けてある。このため、芯材が鼻の先端に引っかかって本体３０が下方にずり動くのを留めるといったことがない。マスク３２が上下方向にずり動く結果、左右方向の芯材の位置を口の付近に留め置くこともできない。また上下方向に延びる芯材がないために、呼吸が激しい場合のマスク本体の変形防止は不十分であった。
【先行技術文献】
【特許文献】
【０００７】
【特許文献１】実用新案登録第３２２７７３６号
【特許文献２】実用新案登録第３２２７７２９号
【考案の概要】
【考案が解決しようとする課題】
【０００８】
ウィルスの拡散予防に有効なマスクを提供することを課題とする。ウィルスの感染予防に有効なマスクを提供することを課題とする。運動時等、呼吸が早くかつ深い場合にもマスク本体の変形を食い止めることができるマスクを提供することを課題とする。着用時に上下方向にずれ動くことのないマスクを提供することを課題とする。
【課題を解決するための手段】
【０００９】
（１）着用者の鼻孔と口を覆う本体部と本体部を着用者の頭部に装着するための装着部とを備えたマスクであって、本体部の左右方向中央に於いて上下に延びて備わる縦方向芯材と、本体部の上下方向中央よりも上方に於いて左右に延びて備わる横方向芯材とを備えてなるマスクによって課題を解決する。
本体部の素材は、ウィルスの拡散防止又は感染防止のできるものであれば何でもよいが、芯材によってマスク本体の変形を防ぐことができるため、形状保持の処理を施していない素材や、比較的薄い素材を用いることができ、素材の選択肢が広がる。
装着部は、耳にかける態様でもよいし、着用者の後頭部にかける態様でもよい。着用者の本体部が鼻孔と口を覆うように装着できれば、装着部はどのような態様でもよい。
縦方向芯材と横方向芯材は、マスク本体の自由変形を抑制することができるものであれば何でもよい。例えば、形状保持テープ、ワイヤー、プラスチック等、素材が用いられる。
上下方向に延びる縦方向芯材と左右方向に延びる横方向芯材の双方を備えることにより、マスク本体のうち縦方向芯材の左右の部位と、横方向芯材の上下の部位の、いずれの部位の変形も防ぐことができる。
運動時等、呼吸が激しい場合には、マスク本体は特に変形しやすい。マスク本体の、縦方向芯材の左右の部位と横方向芯材の上下の部位の、いずれの部位の変形しない構造とすることにより、運動時等呼吸が激しい場合にもマスクを着用することができる。
【００１０】
（２）本体部の上辺の左右方向中央に於いて左右に延びて備わる上辺芯材を備えることを特徴とする（１）に記載のマスクによって課題を解決する。
上辺芯材の素材は、形状保持テープ、ワイヤー、プラスチック、等が用いられる。上辺芯材は、着用者が容易に形を変えることができ、かつ形状を保持できる素材が適している。
着用時、着用者は鼻の上方で上辺芯材が鼻に沿うように変形させて、マスクを着用者の頭部の上下左右方向の位置を決める。上方芯材により、マスクが上下方向にずり動くのを防ぐことができる。
【００１１】
（３）本体部が柔軟な布材で成ることを特徴とする（１）又は（２）に記載のマスクによって課題を解決する。
縦方向芯材と横方向芯材によって本体部の変形を防止できるため、本体部の素材として柔軟な素材を用いることができる。柔軟な素材、薄い素材、等変形しやすい素材を用いることができるため、本体部の素材の選択肢が増える。特に、運動時等、呼吸が激しい場合、本体の素材として、空気の出入りがし易いものを選ぶことが望ましいところ、本体の素材の選択肢が多いことは望ましい。
【００１２】
（４）横方向芯材が、着用時に着用者の鼻の先端より数ｍｍ上方に位置するように備わることを特徴とする（１）から（３）のいずれかに記載のマスクによって課題を解決する。
鼻の先端より数ｍｍ上方とは、横方向芯材が鼻の先端に引っかかり、マスクが下方に下がってくるのを食い止めることができる位置である。装着部の機能により、マスクが、着用者の顔にある程度高い密着性を伴なって装着されている場合には、横方向芯材は鼻の先端に位置するのみでもマスクは上下方向にずれない可能性がある。また、横方向芯材は鼻の先端の２〜５ｍｍ程度上方に位置すれば、マスクの上下方向へのずれはさらに食い止めることができるであろう。この数ミリは、着用者が、装着部の締め付けとの兼ね合いで、マスクがずり落ちることのない、つけ心地良い位置に位置決めすることになる。
マスクの横方向芯材が、着用時に着用者の鼻の先端よりも上方に配置されることにより、横方向芯材が着用者の鼻に引っ掛かり、マスクが下方に下がってくるのを食い止める。運動時等、顔が激しく動くことがあるため、マスクが下方に下がってくるのを食い止めることができるのは好ましい。
なお、横方向芯材が、鼻の先端より数ｍｍ上方に配置されない場合、上辺芯材が、マスクの上下方向ずれを食い止めるものとして機能する。
【００１３】
（５）横方向芯材が、着用時に着用者の鼻の先端より前方に離れて位置するように備わることを特徴とする（１）から（３）のいずれかに記載のマスクによって課題を解決する。
横方向芯材が着用時に着用者の鼻の先端より前方に離れて位置するように備わることにより、呼吸により息が出入りする鼻と口と、前方のマスクの本体との間に空間ができる。この空間があることにより、マスク本体が呼吸により変形することをさらに抑制できる。
【考案の効果】
【００１４】
本願のマスクによれば、有効にウィルスの拡散予防、感染予防ができる。本願のマスクによれば、運動時等、呼吸が深い場合にもマスク本体の変形を食い止めることができる。本願のマスクによれば、着用時に上下方向にずれ動くことがない。
【図面の簡単な説明】
【００１５】
【図１】実施例１に係るマスクを示す。
【図２】実施例１に係るマスクを着用した状態を示す。
【図３】実施例１に係るマスクを着用した状態を示す。
【図４】従来のマスクの例を示す。
【図５】従来のマスクの例を示す。
【考案を実施するための形態】
【実施例１】
【００１６】
図１に示す通り、マスク１は、本体１０と、本体１０の左右に取り付けた耳掛けひも２０を備える。本体１０の左右方向中央には縦方向芯材１２が上下方向に延びて備わる。本体１０の上下方向中央よりも上方には横方向芯材１１が左右方向に延びて備わる。本体１０の上辺の、左右方向中央付近には、上辺芯材１３が本体の上辺に沿って備わる。
【００１７】
図２に示す通り、マスクの着用時、本体１０は着用者の鼻孔と口を覆うように着用者の頭部に装着される。上辺芯材１３は鼻の付け根当たりに位置する。横方向芯材１１は、着用時、マスクの左右方向の端部１４と鼻の先端以外では、ほぼ頬から離れるように形成される。縦方向芯材１２は、着用時、鼻の付け根と鼻の先端と顎以外では、着用者から離れるように形成される。この結果、マスクと着用者との間に空所１５が形成されている。
【００１８】
図示しないが、横方向芯材と縦方向芯材が十文字に交わる箇所は、着用者の鼻の先端よりも前方に２〜３ｃｍ突出していてもよい。その場合、横方向芯材は、右頬と左頬の、マスクの左右方向の端部１４においてのみ着用者と接し、着用者の鼻の先端と接しない。またその場合縦方向芯材は、鼻の付け根と顎においてのみ着用者と接し、着用者の鼻の先端と接しない。この場合、マスクと借用者との空所１５は、さらに大きく、着用者が深く呼吸しても本体は吸い込まれることがない。
【符号の説明】
【００１９】
１  マスク
１０  本体
１１  横方向芯材
１２  縦方向芯材
１３  上辺芯材
１４  端部
１５  空所
２０  耳掛けひも
３０  マスク
３１  芯材
３２  マスク
３３  芯材
【図１】
0003231135.tif 000003
【図２】
0003231135.tif 000004
【図３】
0003231135.tif 000005
【図４】
0003231135.tif 000006
【図５】
0003231135.tif 000007